(57)【要約】【課題】本発明は、保育園、幼稚園、認定こども園などの保育施設において、複数の園児の保育に関する料金を正確に管理することができる保育施設用料金管理装置を提供することを目的とする。【解決手段】第１のデータベース３２１に記憶されている認定区分テーブルを参照することにより、入力部３１１により入力された園児の識別情報に基づいて、園児の認定区分を判別する。そして、第２のデータベース３２２に記憶されている料金テーブルを参照することにより、当該園児の認定区分と、入力部３１１により入力された園児の登園時間および降園時間に基づいて、園児の保育に関する料金を算出して出力する。【選択図】図２
2017090956.tif 000002
【特許請求の範囲】
【請求項１】
保育園、幼稚園、認定こども園などの保育施設において、複数の園児の保育に関する料金を管理するための保育施設用料金管理装置であって、
各園児の識別情報と、法律で定められた認定区分とが互いに関連付けられた認定区分テーブルを記憶する第１のデータベースと、
法律で定められた認定区分と、保育に関する時間帯と、保育に関する料金とが互いに関連付けられた料金テーブルを記憶する第２のデータベースと、
園児の識別情報と園児の登園時間および降園時間とが入力される入力部と、
前記第１のデータベースに記憶されている認定区分テーブルを参照することにより、前記入力部により入力された園児の識別情報に基づいて、園児の認定区分を判別する認定区分判別部と、
前記第２のデータベースに記憶されている料金テーブルを参照することにより、前記認定区分判別部により判別された園児の認定区分と、前記入力部により入力された園児の登園時間および降園時間に基づいて、園児の保育に関する料金を算出する料金算出部と、
前記料金算出部により算出された園児の保育に関する料金を出力する出力部とを備えることを特徴とする保育施設用料金管理装置。
【請求項２】
前記第２のデータベースは、法律で定められた認定区分と、保育に関する時間帯と、保育に関する月極の料金とが互いに関連付けられた月極料金テーブルと、法律で定められた認定区分と、保育に関する時間帯と、保育に関する一次預かりの料金とが互いに関連付けられた一次預かり料金テーブルとを記憶し、
前記認定区分判別部は、さらに園児が月極の対象であるか否かを判別し、
前記認定区分判別部により園児が月極の対象であると判別された場合、
前記料金算出部は、前記第２のデータベースに記憶されている月極料金テーブルを参照することにより、前記認定区分判別部により判別された園児の認定区分と、前記入力部により入力された園児の登園時間および降園時間に基づいて、園児の保育に関する月極料金を算出する一方、
前記認定区分判別部により園児が月極の対象でないと判別された場合、
前記料金算出部は、前記第２のデータベースに記憶されている一次預かり料金テーブルを参照することにより、前記認定区分判別部により判別された園児の認定区分と、前記入力部により入力された園児の登園時間および降園時間に基づいて、園児の保育に関する一次預かり料金を算出する請求項１に記載の保育施設用料金管理装置。
【請求項３】
前記認定区分判別部により園児が月極の対象であると判別された場合、
前記料金算出部は、月極で定められた時間帯外については、前記第２のデータベースに記憶されている一次預かり料金テーブルを参照することにより、前記認定区分判別部により判別された園児の認定区分と、前記入力部により入力された園児の登園時間および降園時間に基づいて、園児の保育に関する一次預かり料金を算出する請求項２に記載の保育施設用料金管理装置。
【請求項４】
前記一次預かり料金テーブルは、一方の軸に認定区分が配置され、かつ他方の軸に月日が配置された設定表において、各月日ごとに所定の認定区分が選択可能に設定される請求項１から請求項３のいずれかに記載の保育施設用料金管理装置。
【請求項５】
前記月極料金テーブルは、一方の軸に認定区分が配置され、かつ他方の軸に月日が配置された設定表において、各月日ごとに利用の有無が選択可能に設定される請求項１から請求項４のいずれかに記載の保育施設用料金管理装置。
【請求項６】
前記料金算出部により算出された園児の保育に関する料金を集計する料金集計部を備え、
前記出力部は、前記料金集計部により集計された園児の保育に関する料金の集計結果を出力する請求項１から請求項５のいずれかに記載の保育施設用料金管理装置。
【請求項７】
園児の保護者の保護者側情報端末と、園児を保育する保育施設の施設側情報端末と、保育の料金を管理する請求項１から請求項６のいずれかに記載の保育施設用料金管理装置とを備え、インターネット等のネットワークを介して通信可能な状態に接続されていることを特徴とする保育施設用料金管理システム。
【請求項８】
コンピュータを、
各園児の識別情報と、法律で定められた認定区分とが互いに関連付けられた認定区分テーブルを記憶する第１のデータベース、
法律で定められた認定区分と、保育に関する時間帯と、保育に関する料金とが互いに関連付けられた料金テーブルを記憶する第２のデータベース、
園児の識別情報と園児の登園時間および降園時間とが入力される入力部、
前記第１のデータベースに記憶されている認定区分テーブルを参照することにより、前記入力部により入力された園児の識別情報に基づいて、園児の認定区分を判別する認定区分判別部、
前記第２のデータベースに記憶されている料金テーブルを参照することにより、前記認定区分判別部により判別された園児の認定区分と、前記入力部により入力された園児の登園時間および降園時間に基づいて、園児の保育に関する料金を算出する料金算出部、
前記料金算出部により算出された園児の保育に関する料金を出力する出力部として機能させることを特徴とするコンピュータプログラム。
【発明の詳細な説明】
【技術分野】
【０００１】
本発明は、保育園、幼稚園、認定こども園などの保育施設において、複数の園児の保育に関する料金を管理するための保育施設用料金管理装置に関するものである。
【背景技術】
【０００２】
従来、未就学の子供を保育する保育施設として、主に３歳以上の園児を保育する幼稚園と、０歳以上の園児を保育する保育園が知られており、最近では、これら幼稚園と保育園の機能を併せ持つ認定こども園が注目されている。この認定こども園は、教育・保育を一体的に行う施設で、幼稚園と保育所の両方の良さを併せ持っている施設であり、認定こども園の基準は都道府県等から認定を受けることができる。
【０００３】
具体的には、この認定こども園には、幼稚園的機能と保育所的機能の両方の機能をあわせ持つ単一の施設として、認定こども園としての機能を果たす「幼保連携型」、認可幼稚園が、保育が必要な子どものための保育時間を確保するなど、保育所的な機能を備えて認定こども園としての機能を果たす「幼稚園型」、認可保育所が、保育が必要な子ども以外の子どもも受け入れるなど、幼稚園的な機能を備えることで認定こども園としての機能を果たす「保育所型」、幼稚園・保育所いずれの認可もない地域の教育・保育施設が、認定こども園として必要な機能を果たす「地方裁量型」など様々なタイプが存在している。
【０００４】
また、認定こども園では、満３歳以上の園児であって標準時間がある「１号認定」と、共働きの家庭の満３歳以上の園児であって標準時間または短時間がある「２号認定」と、共働きの家庭の３歳未満の園児であって標準時間または短時間がある「３号認定」がそれぞれ設定されている。
【０００５】
このように保育園、幼稚園、認定こども園などの保育施設では、様々なタイプが存在する上に、園児によって「１号認定」「２号認定」「３号認定」といった様々な認定区分が存在しており、しかも期間によって園児の認定区分も変わるなど、煩雑な様相を呈している。なお、保育施設における保育者のスケジュールを管理する装置などは提案されているが（特許文献１参照）、複数の園児の保育に関する料金を管理する装置が未だ提案されていない。
【先行技術文献】
【特許文献】
【０００６】
【特許文献１】特許第５６４８１４２号
【発明の概要】
【発明が解決しようとする課題】
【０００７】
而して、各保育施設は、園児の認定区分に応じて保育に関する料金を正確に管理することが困難であるという問題があった
【０００８】
本発明は、上述の問題に鑑みてなされたものであり、保育園、幼稚園、認定こども園などの保育施設において、複数の園児の保育に関する料金を正確に管理することができる保育施設用料金管理装置を提供することを目的とする。
【課題を解決するための手段】
【０００９】
本発明は、上記目的を達成するために、保育園、幼稚園、認定こども園などの保育施設において、複数の園児の保育に関する料金を管理するための保育施設用料金管理装置であって、各園児の識別情報と、法律で定められた認定区分とが互いに関連付けられた認定区分テーブルを記憶する第１のデータベースと、法律で定められた認定区分と、保育に関する時間帯と、保育に関する料金とが互いに関連付けられた料金テーブルを記憶する第２のデータベースと、園児の識別情報と園児の登園時間および降園時間とが入力される入力部と、前記第１のデータベースに記憶されている認定区分テーブルを参照することにより、前記入力部により入力された園児の識別情報に基づいて、園児の認定区分を判別する認定区分判別部と、前記第２のデータベースに記憶されている料金テーブルを参照することにより、前記認定区分判別部により判別された園児の認定区分と、前記入力部により入力された園児の登園時間および降園時間に基づいて、園児の保育に関する料金を算出する料金算出部と、前記料金算出部により算出された園児の保育に関する料金を出力する出力部とを備えることを特徴とする。
【００１０】
これによれば、保育園、幼稚園、認定こども園などの保育施設において、複数の園児の保育に関する料金を正確に管理することができる。
【００１１】
また、前記第２のデータベースは、法律で定められた認定区分と、保育に関する時間帯と、保育に関する月極の料金とが互いに関連付けられた月極料金テーブルと、法律で定められた認定区分と、保育に関する時間帯と、保育に関する一次預かりの料金とが互いに関連付けられた一次預かり料金テーブルとを記憶し、前記認定区分判別部は、さらに園児が月極の対象であるか否かを判別し、前記認定区分判別部により園児が月極の対象であると判別された場合、前記料金算出部は、前記第２のデータベースに記憶されている月極料金テーブルを参照することにより、前記認定区分判別部により判別された園児の認定区分と、前記入力部により入力された園児の登園時間および降園時間に基づいて、園児の保育に関する月極料金を算出する一方、前記認定区分判別部により園児が月極の対象でないと判別された場合、前記料金算出部は、前記第２のデータベースに記憶されている一次預かり料金テーブルを参照することにより、前記認定区分判別部により判別された園児の認定区分と、前記入力部により入力された園児の登園時間および降園時間に基づいて、園児の保育に関する一次預かり料金を算出してもよい。これによれば、複数の園児の保育に関する月極料金および一次預かり料金を正確に管理することができる。
【００１２】
また、前記認定区分判別部により園児が月極の対象であると判別された場合、前記料金算出部は、月極で定められた時間帯外については、前記第２のデータベースに記憶されている一次預かり料金テーブルを参照することにより、前記認定区分判別部により判別された園児の認定区分と、前記入力部により入力された園児の登園時間および降園時間に基づいて、園児の保育に関する一次預かり料金を算出してもよい。これによれば、月極の園児が月極で定められた時間帯外の保育を利用した場合でも、園児の保育に関する料金を正確に管理することができる。
【００１３】
また、前記一次預かり料金テーブルは、一方の軸に認定区分が配置され、かつ他方の軸に月日が配置された設定表において、各月日ごとに所定の認定区分が選択可能に設定されてもよい。これによれば、一次預かり料金テーブルを月日ごとに設定し得るため、保育施設のイベント等の状況に応じて、適宜、一次預かりの料金設定を簡単に変更することができる。
【００１４】
また、前記月極料金テーブルは、一方の軸に認定区分が配置され、かつ他方の軸に月日が配置された設定表において、各月日ごとに利用の有無が選択可能に設定されてもよい。これによれば、月極料金テーブルを月日ごとに簡単に設定し得るため、保育施設のイベント等の状況に応じて、適宜、月極の利用の有無を簡単に変更することができる。
【００１５】
また、前記料金算出部により算出された園児の保育に関する料金を集計する料金集計部を備え、前記出力部は、前記料金集計部により集計された園児の保育に関する料金の集計結果を出力してもよい。これによれば園児の保育に関する料金を簡単に集計することができる。
【００１６】
また、本発明に係る保育施設用料金管理システムは、園児の保護者の保護者側情報端末と、園児を保育する保育施設の施設側情報端末と、保育の料金を管理する請求項１から請求項６のいずれかに記載の保育施設用料金管理装置とを備え、インターネット等のネットワークを介して通信可能な状態に接続されていることを特徴とする。
【００１７】
これによれば、保育園、幼稚園、認定こども園などの保育施設において、複数の園児の保育に関する料金を正確に管理することができる。
【００１８】
また、本発明に係るコンピュータプログラムは、コンピュータを、各園児の識別情報と、法律で定められた認定区分とが互いに関連付けられた認定区分テーブルを記憶する第１のデータベース、法律で定められた認定区分と、保育に関する時間帯と、保育に関する料金とが互いに関連付けられた料金テーブルを記憶する第２のデータベース、園児の識別情報と園児の登園時間および降園時間とが入力される入力部、前記第１のデータベースに記憶されている認定区分テーブルを参照することにより、前記入力部により入力された園児の識別情報に基づいて、園児の認定区分を判別する認定区分判別部、前記第２のデータベースに記憶されている料金テーブルを参照することにより、前記認定区分判別部により判別された園児の認定区分と、前記入力部により入力された園児の登園時間および降園時間に基づいて、園児の保育に関する料金を算出する料金算出部、前記料金算出部により算出された園児の保育に関する料金を出力する出力部として機能させることを特徴とする。
【００１９】
これによれば、本コンピュータプログラムをコンピュータにインストールすることにより、保育園、幼稚園、認定こども園などの保育施設において、複数の園児の保育に関する料金を正確に管理することができる。
【発明の効果】
【００２０】
本発明によれば、保育園、幼稚園、認定こども園などの保育施設において、複数の園児の保育に関する料金を正確に管理することができる。このため保育施設の料金管理について労力が軽減されるとともに、園児の保護者も料金を把握し易くなるため、園児に対して高度な保育を安価に提供することが可能となる。
【図面の簡単な説明】
【００２１】
【図１】保育施設用料金管理システムの全体構成を示す図である。
【図２】保育管理装置の構成を示すブロック図である。
【図３】保育管理装置の動作を示すフローチャートである。
【図４】認定区分テーブルを示す図である。
【図５】月極料金テーブルを示す図である。
【図６】一次預かり料金を示す図である。
【図７】料金の集計結果を示す図である。
【図８】月極料金テーブルの設定画面を示す図である。
【図９】一次預かり料金テーブルの設定画面を示す図である。
【発明を実施するための形態】
【００２２】
次に、本発明に係る保育施設用料金管理システム（以下、本システムという）の実施形態について図１〜図７を参照しつつ説明する。
【００２３】
本システムは、図１に示すように、園児の保護者の保護者側情報端末１と、園児を保育する保育施設の施設側情報端末２と、保育の料金を管理する保育施設用料金管理装置（以下、本装置３という）とを備え、インターネット等のネットワークを介して通信可能な状態に接続されている。
【００２４】
前記保護者側情報端末１は、例えばＰＣ端末、タブレット端末、スマートフォン端末、携帯電話端末であり、本装置３にネットワークを介して接続され、各種画面において園児の登降園に関する予約などが操作される。
【００２５】
前記施設側情報端末２は、例えばＰＣ端末、タブレット端末、スマートフォン端末、携帯電話端末であり、本装置３にネットワークを介して接続され、後述するように各種画面において認定区分、時間帯および料金の設定や集計に関する操作が行われたり、園児の登園時間および降園時間に関する操作が行われたりする。
【００２６】
前記本装置３は、図２に示すように、保護者側情報端末１と施設側情報端末２との間でネットワークを介して入出力の通信を行う通信部３１と、各種データやテーブルを記憶する記憶部３２と、各種の制御を行う制御部３３とを備える。なお、制御部３３は、記憶部３２に記憶されている図示略のコンピュータプログラムにより各部を制御する。
【００２７】
前記通信部３１は、保護者側情報端末１または施設側情報端末２からネットワークを介して送信されてきた各種データが入力される入力部３１１と、保護者側情報端末１または施設側情報端末２に対してネットワークを介して各種データを出力する出力部３１２と備える。
【００２８】
前記入力部３１１は、施設側情報端末２からネットワークを介して送信されてきた園児の識別情報と、登園時間および降園時間に関するデータを入力する。具体的には、園児が保育施設に登園したとき、保育者が施設側情報端末２において園児の登園時間に関する所定の操作を行うと、施設側情報端末２から本装置３に対して園児の識別情報と登園時間に関するデータが送信され、本装置３の入力部３１１に当該データが入力される。一方、園児が保育施設から降園したとき、保育者が施設側情報端末２を利用して園児の降園時間に関する所定の操作を行うと、施設側情報端末２から本装置３に対して園児の識別情報と降園時間に関するデータが送信され、本装置３の入力部３１１に当該データが入力される。
【００２９】
前記出力部３１２は、保護者側情報端末１および施設側情報端末２に対してネットワークを介して園児の保育に関する料金の集計結果のデータを出力する。この料金の算出については、制御部３３において後述することとする。
【００３０】
前記記憶部３２は、園児の保育に関する料金を算出するための第１のデータベース３２１および第２のデータベース３２２を備える。
【００３１】
前記第１のデータベース３２１は、園児の認定区分に関する認定区分テーブルを記憶している。この認定区分テーブルは、各園児の識別情報と、法律で定められた認定区分とが互いに関連付けられている。
【００３２】
例えば、図４に示すように、各園児の識別情報として、園児の出席番号、園児名、ひらがな、学年、クラス、性別および生年月日が設定されている。また、法律で定められた認定区分として、「１号認定」「２号認定保育短時間」「２号認定保育標準時間」「３号認定保育短時間」「３号認定保育標準時間」が設定されている。これら園児の識別情報と認定区分は、施設側運用者が施設側情報端末２を操作することにより設定される。
【００３３】
前記第２のデータベース３２２は、園児の保育に関する料金が設定された料金テーブルを記憶している。この料金テーブルは、月極の料金が設定された月極料金テーブルと、一次預かりの料金が設定された一時預かり料金テーブルを備え、いずれも法律で定められた認定区分と、保育に関する時間帯と、保育に関する料金とが互いに関連付けられている。
【００３４】
例えば、月極料金テーブルは、図５に示すように、法律で定められた認定区分として、「１号認定」「２号認定保育短時間」「２号認定保育標準時間」「３号認定保育短時間」「３号認定保育標準時間」が設定されている。また、各認定区分ごとに保育に関する時間帯と、該時間帯に対応する月極の料金が設定されている。
【００３５】
一方、一次預かり料金テーブルは、図６に示すように、認定区分として「１号認定（通常）」「１号認定午前保育」「２・３認定短時間」「２・３認定短時間」などがそれぞれ設定されている。また、各認定区分ごとに保育に関する時間帯と、該時間帯に対応する一次預かりの料金が設定されている。なお、一時料金テーブルにおいて、「１号認定」の中でも保育を通常どおり行う「１号認定（通常）」や、午前のみ保育を行う「１号認定 午前保育」と分けることができるようになっている。
【００３６】
これらの料金テーブルにおける認定区分、時間帯および料金は、施設側運用者が施設側情報端末２を操作することにより設定される。
【００３７】
なお、前記記憶部３２は、第１のデータベース３２１および第２のデータベース３２２のほかにも、登降園管理に関するデータ、出欠管理に関するデータ、預かり集計に関するデータ、預かり予約に関するデータ、保護者管理に関するデータ、園児管理に関するデータなどの各種データを記憶する各種データベース３２３を備える。
【００３８】
前記制御部３３は、園児の保育に関する料金を算出するための認定区分判別部３３１、料金算出部３３２および料金集計部３３３を備える。
【００３９】
前記認定区分判別部３３１は、前記第１のデータベース３２１に記憶されている認定区分テーブルを参照することにより、前記入力部３１１により入力された園児の識別情報に基づいて、園児の認定区分を判別する。
【００４０】
例えば、入力部３１１により園児「黒坂尚義」の識別情報が入力された場合、認定区分判別部３３１は、前記第１のデータベース３２１に記憶されている認定区分テーブル（図４）を参照することにより、前記入力部３１１により入力された園児「黒坂尚義」の識別情報に基づいて、園児「黒坂尚義」の認定区分「２号認定保育短時間」を判別する。
【００４１】
また、入力部３１１により園児「麻生紗愛」の識別情報が入力された場合、認定区分判別部３３１は、前記第１のデータベース３２１に記憶されている認定区分テーブル（図４）を参照することにより、前記入力部３１１により入力された園児「麻生紗愛」の識別情報に基づいて、園児「麻生紗愛」の認定区分「２号認定保育標準時間」を判別する。
【００４２】
その他の園児についても、前記入力部３１１により園児の識別情報を入力された場合、前記認定区分判別部３３１が同様にして園児の認定区分を判別する。
【００４３】
なお、本実施形態では、前記認定区分判別部３３１は、園児が月極の対象であるか否かを判別する機能も有している。この園児の月極と時間帯は、保護者または施設側運用者が保護者側情報端末１または施設側情報端末２を操作することによりあらかじめ設定される。
【００４４】
前記料金算出部３３２は、第２のデータベース３２２に記憶されている料金テーブルを参照することにより、認定区分判別部３３１により判別された園児の認定区分と、入力部３１１により入力された園児の登園時間および降園時間に基づいて、園児の保育に関する料金を算出する。
【００４５】
具体的には、前記認定区分判別部３３１により園児が月極の対象であると判別された場合、前記料金算出部３３２は、前記第２のデータベース３２２に記憶されている月極料金テーブルを参照することにより、前記認定区分判別部３３１により判別された園児の認定区分と、前記入力部３１１により入力された園児の登園時間帯および降園時間帯に基づいて、園児の認定区分と時間帯に対応した保育に関する月極料金を算出する。
【００４６】
例えば、認定区分判別部３３１により園児「黒坂尚義」の認定区分「２号認定保育短時間」と、月極「７：３０〜１６：００」の対象であることが判別された場合、料金算出部３３２は、第２のデータベース３２２に記憶されている月極料金テーブル（図４）を参照することにより、認定区分判別部３３１により判別された園児の認定区分「２号認定保育短時間」と、入力部３１１により入力された園児「黒坂尚義」の登園時間および降園時間（「７：３０〜１６：００」内）に基づいて、園児の認定区分「２号認定保育短時間」と時間帯「７：３０〜１６：００」に対応した保育に関する月極の料金「７，５００円」（月当たり）を算出する。
【００４７】
一方、前記認定区分判別部３３１により園児が月極の対象でないと判別された場合、前記料金算出部３３２は、前記第２のデータベース３２２に記憶されている一次預かり料金テーブルを参照することにより、前記認定区分判別部３３１により判別された園児の認定区分と、前記入力部３１１により入力された園児の登園時間帯および降園時間帯に基づいて、園児の認定区分と時間帯に対応した保育に関する一次預かり料金を算出する。
【００４８】
例えば、認定区分判別部３３１が園児「麻生紗愛」の認定区分「２号認定保育標準時間」と月極の対象でないことを判別した場合、前記料金算出部３３２は、前記第２のデータベース３２２に記憶されている一次預かり料金テーブル（図６）を参照することにより、前記認定区分判別部３３１により判別された園児「麻生紗愛」の認定区分「２号認定保育標準時間」と、入力部３１１により入力された園児の登園時間および降園時間（例えば、登園時間１８：００、降園時間１９：００）に基づいて、園児の認定区分「２号認定保育標準時間」と時間帯「１８：００〜１９：００」に対応した保育に関する一次預かり料金「２００円」（１日当たり）を算出する。なお、入力部３１１により入力された園児の登園時間および降園時間（例えば、登園時間１８：００、降園時間２０：００）が複数の時間帯にまたがっている場合、料金算出部３３２は、時間帯「１８：００〜１９：００」に対応した保育に関する一次預かり料金「２００円」と、時間帯「１９：００〜２０：００」に対応した保育に関する一次預かり料金「３００円」を合算して算出する。
【００４９】
前記料金集計部３３３は、各園児の識別情報、認定区分、料金を集計する。この集計方法については、特に限定されるものではなく、図７に示すように所定期間ごとに各園児の料金を集計したものや、園児ごとに各所定期間の料金を集計したものや、園児ごとに各月日の料金を集計したものなどが挙げられる。
【００５０】
次に本システムの動作について図３のフローチャートを参照しつつ説明する。なお、以下の説明において、「ＳＴＥＰ（ステップ）」を「Ｓ」と略記する。
【００５１】
まず、園児が保育施設に登園したとき、保育者が施設側情報端末２において園児の登園時間に関する所定の操作を行うと、本装置３において、前記入力部３１１は、施設側情報端末２からネットワークを介して送信されてきた園児の識別情報と登園時間および降園時間に関するデータを入力する（Ｓ１）。
【００５２】
次に、認定区分判別部３３１は、前記第１のデータベース３２１に記憶されている認定区分テーブルを参照することにより、前記入力部３１１により入力された園児の識別情報に基づいて、園児の認定区分を判別する（Ｓ２）。
【００５３】
また、認定区分判別部３３１は、園児が月極の対象であるか否かを判別して（Ｓ３）、園児が月極の対象であると判別した場合（Ｓ３でＹＥＳ）、前記料金算出部３３２は、前記第２のデータベース３２２に記憶されている月極料金テーブルを参照することにより、前記認定区分判別部３３１により判別された園児の認定区分と、前記入力部３１１により入力された園児の登園時間帯および降園時間帯に基づいて、園児の保育に関する月極料金を算出する（Ｓ４）。
【００５４】
一方、園児が月極の対象でないと判別した場合（Ｓ３でＮＯ）、前記料金算出部３３２は、前記第２のデータベース３２２に記憶されている一次預かり料金テーブルを参照することにより、前記認定区分判別部３３１により判別された園児の認定区分と、前記入力部３１１により入力された園児の登園時間帯および降園時間帯に基づいて、保育に関する一次預かり料金を算出する（Ｓ５）。
【００５５】
次に、前記料金集計部３３３は、各園児の識別情報、認定区分、料金を集計したあと（Ｓ６）、前記出力部３１２は、保護者側情報端末１および施設側情報端末２に対してネットワークを介して園児の保育に関する料金の集計結果のデータを出力する（Ｓ７）。
【００５６】
なお、本実施形態では、料金テーブルとして月極料金テーブルを併せて設けるものとしたが、月極料金テーブルを設けないものとしてもよい。
【００５７】
また、月極の対象である園児が月極で定められた時間帯外に保育施設を利用した場合、当該時間帯外については一時預かり料金を算出するとよい。この場合、前記料金算出部３３２は、月極で定められた時間帯外については、前記第２のデータベース３２２に記憶されている一次預かり料金テーブルを参照することにより、前記認定区分判別部３３１により判別した園児の認定区分と、前記入力部３１１により入力された園児の登園時間帯および降園時間帯に基づいて、園児の認定区分と時間帯に対応した一次預かり料金を算出する。この一時預かり料金は、料金集計部３３３により月極料金に加算された状態で集計される。
【００５８】
また、前記月極料金テーブルは、図８に示すように、一方の軸に認定区分が配置され、かつ他方の軸に月日が配置された設定表において、各月日ごとに利用の有無が選択可能に設定されてもよい。
【００５９】
また、前記一次預かり料金テーブルは、図９に示すように、一方の軸に認定区分が配置され、かつ他方の軸に月日が配置された設定表において、各月日ごとに所定の認定区分が選択可能に設定されてもよい。
【００６０】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６１】
１…保護者側情報端末
２…施設側情報端末
３…本管理装置
３１…通信部
３１１…入力部
３１２…出力部
３２…記憶部
３２１…第１のデータベース
３２２…第２のデータベース
３２３…各種データベース
３３…制御部
３３１…認定区分判別部
３３２…料金算出部
３３３…料金集計部
【図１】
2017090956.tif 000003
【図２】
2017090956.tif 000004
【図３】
2017090956.tif 000005
【図４】
2017090956.tif 000006
【図５】
2017090956.tif 000007
【図６】
2017090956.tif 000008
【図７】
2017090956.tif 000009
【図８】
2017090956.tif 000010
【図９】
2017090956.tif 000011